(57)【要約】【解決手段】底部１と底部にヒンジ連結された長側壁２と同じく底部にヒンジ連結された短側壁３とを有するとともに、長側壁及び短側壁を、底部に重なるように倒すことにより折り畳むことが可能な折り畳みコンテナーにおいて、長側壁に、長側壁の下端水平リブ２ｆが、底部の長辺側土手部１ａから離反することを阻止する傾倒抑制部材Ｓ１〜Ｓ３を配設したものである。【効果】長側壁に、長側壁の下端水平リブが、底部の長辺側土手部から離反することを阻止する傾倒抑制部材を配設したので、箱型に組み立てられた折り畳みコンテナーの長側壁に、外側から負荷が加わっても、長側壁が内側に傾倒したり湾曲するようなことを抑制することができる。【選択図】図５
2005053482.tif 000002
【特許請求の範囲】
【請求項１】
底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、長側壁に、長側壁の下端水平リブが、底部の長辺側土手部から離反することを阻止する傾倒抑制部材が配設されていることを特徴とする折り畳みコンテナー。
【請求項２】
前記傾倒抑制部材が、箱型に組み立てられた折り畳みコンテナーの内側から操作可能であることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られている。
【０００３】
【発明が解決しようとする課題】
上述した従来の折り畳みコンテナーにおいては、長側壁が、強度や剛性の点から弱く、変形し易いという問題があった。特に、折り畳みコンテナーの大型化に伴い、長側壁の横幅が、１メートルを越えるものや、２メートル近くにもなると、長側壁の変形が顕著となり、箱型に組み立てられた長側壁を持って運搬することが困難となる。
【０００４】
箱型に組み立てられた折り畳みコンテナーを運搬する際には、通常、作業者は、一方の長側壁側に位置し、両手で、それぞれ、相対する短側壁の中央上部に形成されている把持部を持って、箱型に組み立てられた折り畳みコンテナーを運搬するが、短側壁の横幅は短いので、短側壁が内側に大きく傾倒したり湾曲するようなことはなく、従って、折り畳みコンテナーに収納されている物品が損傷するようなことはない。しかしながら、長側壁の横幅が、１メートルを越えるものや、２メートル近くにもなると、相対する短側壁の中央上部に形成されている把持部を持って、箱型に組み立てられた折り畳みコンテナーを運搬することが難しくなり、作業者は、一方の長側壁側に位置した後、両手で、それぞれ相対する長側壁の適当な把持部を持って、箱型に組み立てられた折り畳みコンテナーを運搬することが、通常、行われている。このように、相対する長側壁に形成されている把持部を持って、箱型に組み立てられた折り畳みコンテナーを運搬すると、長側壁が内側に大きく傾倒したり湾曲することになり、従って、折り畳みコンテナーに収納されている物品が損傷したり、長側壁が損傷するという問題があった。
【０００５】
本発明の目的は、上述した従来の折り畳みコンテナーが有する課題を解決することにある。
【０００６】
【課題を解決するための手段】
本発明は、上述した目的を達成するために、底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、第１には、長側壁に、長側壁の下端水平リブが、底部の長辺側土手部から離反することを阻止する傾倒抑制部材を配設したものであり、第２には、傾倒抑制部材を、箱型に組み立てられた折り畳みコンテナーの内側から操作可能としたものである。
【０００７】
【実施例】
以下に、本発明の実施例について説明するが、本発明の趣旨を越えない限り何ら、本実施例に限定されるものでない。
【０００８】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【０００９】
長側壁２は、横長の略長方形状の板状部２ａを有しており、長側壁２の両垂直端には、板状部２ａに略垂直で、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１０】
長側壁２の板状部２ａの上部両端角部付近には、それぞれ、略コの字状のスリット２ｃが形成されており、略コの字状のスリット２ｃを形成することにより、スリット２ｃで囲まれた部分が、水平方向に延在する片持ち状の係止弾性片２ｄが形成されている。係止弾性片２ｄの内面側の先端には、係止突部２ｄ１が突設されており、係止突部２ｄ１の係合枠２ｂ側は、係合枠２ｂの内面側の面と略平行な垂直面に形成されている。
【００１１】
長側壁２の板状部２ａの上下端には、板状部２ａに略垂直で、且つ、外側に延在する上端水平リブ２ｅ及び下端水平リブ２ｆが形成されており、また、板状部２ａの外面（折り畳みコンテナーを箱型に組み立てた際に、外側に位置する面）には、適当数の垂直リブ２ｇや水平リブ２ｈが形成されている。
【００１２】
短側壁３は、横長の略長方形状の板状部３ａを有しており、板状部３ａの上下端には、板状部３ａに略垂直で、且つ、外側に延在する上端水平リブ３ｂ及び下端水平リブ３ｃが、それぞれ形成されており、また、板状部３ａの左右端には、板状部３ａに略垂直で、且つ、外側に延在する端部垂直リブ３ｄが、それぞれ形成されている。端部垂直リブ３ｄの外側には、縦長の延長枠３ｅが形成されており、延長枠３ｅには、端部垂直リブ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）には、適当数の垂直リブ３ｆや水平リブ３ｇが形成されている。
【００１３】
折り畳みコンテナーを、図３に示されている折り畳まれた状態から、図１に示されている箱型に組み立てるには、先ず最初に、略水平状態の長側壁２を、垂直方向に回動させて、図２に示されているように、略垂直に立てる。次いで、底部１に重なるようにして折り畳まれている短側壁３を、略水平状態から垂直方向に回動させると、短側壁３の延長枠３ｅが、長側壁２に形成された係合枠２ｂに対向するように接近し、更に、短側壁３を、垂直方向に回動させると、短側壁３の延長枠３ｅの端部垂直面が、長側壁２の内面から突出している係止弾性片２ｄの係止突部２ｄ１を押して、係止弾性片２ｄを、外側方向に、係止弾性片２ｄの弾性に抗して、湾曲させる。更に、短側壁３を、垂直方向に回動させると、短側壁３の延長枠３ｅに突設された嵌合突部３ｅ１が、長側壁２の係合枠２ｂに形成された嵌合孔２ｂ１に挿入される。この短側壁３の延長枠３ｅに突設された嵌合突部３ｅ１が、長側壁２の係合枠２ｂに形成された嵌合孔２ｂ１に挿入される過程において、短側壁３の延長枠３ｅの端部垂直面から、長側壁２に形成された係止弾性片２ｄの係止突部２ｄ１が外れて、係止弾性片２ｄが、その弾性により元の位置に戻り、係止弾性片２ｄの係止突部２ｄ１が、短側壁３の延長枠３ｅに当接或いは接近して位置する。従って、短側壁３が、底部１方向に回動しようとしても、短側壁３の延長枠３ｅが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００１４】
箱型に組み立てられた折り畳みコンテナーを折り畳む際には、長側壁２に形成された係止弾性片２ｄの係止突部２ｄ１を、短側壁３の延長枠３ｅから外れる方向に、即ち、外側方向に押して、長側壁２の係止弾性片２ｄを、その弾性に抗して湾曲させる。長側壁２に形成された係止弾性片２ｄの係止突部２ｄ１が、短側壁３の延長枠３ｅから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００１５】
Ｓ１は、傾倒抑制部材であり、傾倒抑制部材Ｓ１は、上部水平リブｓ１ａと、上部水平リブｓ１ａの両端から垂下された、相対する垂直リブｓ１ｂと、垂直リブｓ１ｂの下端から、互いに接近する方向に傾斜し延在する傾斜リブｓ１ｃと、傾斜リブｓ１ｃの下端を連結する下部水平リブｓ１ｄとからなる、正面形状が、略逆家形の操作部ｓ１を有しており、また、垂直リブｓ１ｂの外側面には、垂直ガイドレールｓ１ｂ’が形成されている。操作部ｓ１の下部水平リブｓ１ｄには、棒状や板材や型材等からなる垂直ロッド部ｓ２が連接されているとともに、垂直ロッド部ｓ２の下端部の相対する面には、それぞれ、下方に傾斜した弾性舌片ｓ３が連接されている。更に、垂直ロッド部ｓ２の下端には、先端部が尖った嵌合楔部ｓ４が形成されている。このような、操作部ｓ１、垂直ロッド部ｓ２、弾性舌片ｓ３及び嵌合楔部ｓ４からなる傾倒抑制部材Ｓ１は、合成樹脂で一体に成形することが好ましい。
【００１６】
長側壁２の板状部２ａの外面（折り畳みコンテナーを箱型に組み立てた際に、外側に位置する面）の中央部には、上端水平リブ２ｅと下端水平リブ２ｆとを連結する一対の垂直ガイドリブ２ｉが、所定の間隔を置いて形成されている。また、垂直ガイドリブ２ｉの相対する面の上方には、規制突起２ｊが突設されており、更に、垂直ガイドリブ２ｉの下方には、垂直ガイドリブ２ｉを連結するとともに、その中央部に透孔２ｋ１が穿設された水平連結リブ２ｋが形成されている。更に、水平連結リブ２ｋに穿設された透孔２ｋ１を挟むように、その上端が、水平連結リブ２ｋの裏面に連接されているとともに、下方に向かうに従って、互いに、離反する方向に延在する一対の傾斜ガイド板部２ｍが形成されており、傾斜ガイド板部２ｍの下端は、水平連結リブ２ｎにより、垂直ガイドリブ２ｉに連結されている。
【００１７】
上述した水平連結リブ２ｋに穿設された透孔２ｋ１の真下に位置する長側壁２の下端水平リブ２ｆには、透孔２ｋ１と略同じ大きさ形状の透孔２ｆ１が穿設されており、また、折り畳みコンテナーを箱型に組み立てた際に、水平連結リブ２ｋに穿設された透孔２ｋ１及び長側壁２の下端水平リブ２ｆに穿設された透孔２ｆ１の真下に位置する底部１の長辺側土手部１ａの水平部１ａ１には、上述した傾倒抑制部材Ｓ１の嵌合楔部ｓ４が嵌合可能な透孔１ａ２が穿設されている。
【００１８】
傾倒抑制部材Ｓ１の操作部ｓ１を構成する垂直リブｓ１ｂに突設された垂直ガイドレールｓ１ｂ’の一部が、長側壁２に形成された垂直ガイドリブ２ｉの相対する面に突設された規制突起２ｊと長側壁２の板状部２ａとにより挟持されるように、また、傾倒抑制部材Ｓ１の垂直ロッド部ｓ２が、水平連結リブ２ｋに穿設された透孔２ｋ１に挿入され、傾倒抑制部材Ｓ１の一対の弾性舌片ｓ３が、傾斜ガイド板部２ｍに当接或いは接近して位置するように、傾倒抑制部材Ｓ１を、長側壁２に形成された一対の垂直ガイドリブ２ｉ間に配置する。折り畳みコンテナーを箱型に組み立てた際には、図５及び図６に示されているように、傾倒抑制部材Ｓ１の嵌合楔部ｓ４が、長側壁２の下端水平リブ２ｆに穿設された透孔２ｆ１及び底部１の長辺側土手部１ａの水平部１ａ１に穿設された透孔１ａ２に嵌合されているとともに、傾倒抑制部材Ｓ１の一対の弾性舌片ｓ３が、傾斜ガイド板部２ｍに当接或いは接近して位置するように構成されている。従って、箱型に組み立てられた折り畳みコンテナーの長側壁２に、外側から内側方向に負荷が加わっても、長側壁２が内側に傾倒したり湾曲するようなことを抑制することができるので、相対する長側壁２の適当な個所に形成されている把持部（例えば、長側壁２の上端水平フランジ２ｅ付近に位置する板状部２ａに形成された開口部として構成されている。）や上端水平リブ２ｅを持って、箱型に組み立てられた折り畳みコンテナーを運搬する際に、長側壁２が内側に大きく傾倒したり湾曲するようなことはなく、折り畳みコンテナーに収納されている物品が損傷したり、長側壁２が損傷するようなことを防止することができる。
【００１９】
また、箱型に組み立てられた折り畳みコンテナーの折り畳み作業の際に、図２に示されている略垂直に立てられている長側壁２を、底部１方向に倒すには、傾倒抑制部材Ｓ１の操作部ｓ１を形成する上部水平リブｓ１ａの裏面に指等を引っ掛けて、傾倒抑制部材Ｓ１を上方に移動させる。傾倒抑制部材Ｓ１の上方への移動の際には、傾倒抑制部材Ｓ１の操作部ｓ１を構成する垂直リブｓ１ｂに突設された垂直ガイドレールｓ１ｂ’が、長側壁２に形成された垂直ガイドリブ２ｉの相対する面に突設された規制突起２ｊと長側壁２の板状部２ａとにより挟持されるように案内されるので、傾倒抑制部材Ｓ１がスムースに上方移動することができるとともに、傾倒抑制部材Ｓ１が、長側壁２から外れるようなことがない。このような、傾倒抑制部材Ｓ１の上方移動により、傾倒抑制部材Ｓ１の一対の弾性舌片ｓ３が、図７に示されているように、傾斜ガイド板部２ｍに当接して、一対の弾性舌片ｓ３の先端が接近する方向に弾性変形するとともに、図７及び図８に示されているように、傾倒抑制部材Ｓ１の嵌合楔部ｓ４が、底部１の長辺側土手部１ａの水平部１ａ１に穿設された透孔１ａ２及び長側壁２の下端水平リブ２ｆに穿設された透孔２ｆ１から排出されることになる。この状態で、長側壁２を、底部１方向に倒すことにより、折り畳みコンテナーを、図３に示されているように、折り畳むことができる。長側壁２を、底部１方向に倒した後は、傾倒抑制部材Ｓ１の操作部ｓ１から手を離すと、傾倒抑制部材Ｓ１の上記の弾性舌片ｓ３の弾性変形に起因する復元力により、傾倒抑制部材Ｓ１は下動し、図５に示されているような元の位置に戻ることになる。
【００２０】
折り畳みコンテナーを箱型に組み立てる際には、上述したように、長側壁２を垂直方向に回動させることになるが、この長側壁２の回動に際し、傾倒抑制部材Ｓ１の操作部ｓ１を形成する上部水平リブｓ１ａの裏面に指等を引っ掛けて、傾倒抑制部材Ｓ１を上方に移動させて、傾倒抑制部材Ｓ１の嵌合楔部ｓ４の先端を、長側壁２の下端水平リブ２ｆに穿設された透孔２ｆ１内に位置させるか、或いは、透孔２ｆ１から排出した状態にしておく。そして、長側壁２を略垂直に立てた後に、傾倒抑制部材Ｓ１の操作部ｓ１から手を離して、傾倒抑制部材Ｓ１の上記の弾性舌片ｓ３の弾性変形に起因する復元力により、傾倒抑制部材Ｓ１を下動させて、傾倒抑制部材Ｓ１の嵌合楔部ｓ４を、長側壁２の下端水平リブ２ｆに穿設された透孔２ｆ１及び底部１の長辺側土手部１ａの水平部１ａ１に穿設された透孔１ａ２に嵌合させる。この場合には、嵌合楔部ｓ４を、楔状に形成することなく、直方体や円柱等のブロック状に形成することもできる。
【００２１】
本実施例の傾倒抑制部材Ｓ１の嵌合楔部ｓ４の前面には、嵌合楔部ｓ４の上端面（垂直ロッド部ｓ２の下端側に位置する面）から先端に行くにしたがって、長側壁２の板状部２ａの外面（折り畳みコンテナーを箱型に組み立てた際に、外側に位置する面）方向に傾斜した傾斜面ｓ４ａが形成されているので、折り畳みコンテナーの箱型への組み立て作業における長側壁２の垂直方向への回動過程において、傾倒抑制部材Ｓ１の嵌合楔部ｓ４の前面に形成された傾斜面ｓ４ａが、底部１の長辺側土手部１ａの上部内側角部１ａ３に当接し、傾倒抑制部材Ｓ１の弾性舌片ｓ３の弾性力に抗して、傾倒抑制部材Ｓ１を上動させることになる。その後、長側壁２が、略垂直に立てられた際には、傾倒抑制部材Ｓ１の弾性舌片ｓ３の弾性変形に起因する復元力により、傾倒抑制部材Ｓ１が下動し、傾倒抑制部材Ｓ１の嵌合楔部ｓ４が、長側壁２の下端水平リブ２ｆに穿設された透孔２ｆ１及び底部１の長辺側土手部１ａの水平部１ａ１に穿設された透孔１ａ２に嵌合されることになる。このように、傾倒抑制部材Ｓ１の嵌合楔部ｓ４に、底部１の長辺側土手部１ａに当接可能な傾斜面ｓ４ａを形成することにより、傾倒抑制部材Ｓ１の操作部ｓ１を形成する上部水平リブｓ１ａの裏面に指等を引っ掛けて、傾倒抑制部材Ｓ１を上方に移動させる必要がなく、単に、長側壁２を垂直方向に回動させるだけで、傾倒抑制部材Ｓ１の嵌合楔部ｓ４を、長側壁２の下端水平リブ２ｆに穿設された透孔２ｆ１及び底部１の長辺側土手部１ａの水平部１ａ１に穿設された透孔１ａ２に嵌合することができる。
【００２２】
上述したように、折り畳みコンテナーが箱型に組み立てられた際には、長側壁２に配設された傾倒抑制部材Ｓ１の嵌合楔部ｓ４を、長側壁２の下端水平リブ２ｆに穿設された透孔２ｆ１及び底部１の長辺側土手部１ａの水平部１ａ１に穿設された透孔１ａ２に嵌合するように構成したので、長側壁２に、外側から内側方向に負荷が加わっても、長側壁２が内側に傾倒したり湾曲するようなことを抑制することができるので、相対する長側壁２の適当な個所に形成されている把持部や上端水平リブ２ｅを持って、箱型に組み立てられた折り畳みコンテナーを運搬する際に、長側壁２が内側に大きく傾倒したり湾曲するようなことはなく、折り畳みコンテナーに収納されている物品が損傷したり、長側壁２が損傷するようなことを防止することができる。
【００２３】
特に、傾倒抑制部材Ｓ１の嵌合楔部ｓ４を、長側壁２の下端水平リブ２ｆに穿設された透孔２ｆ１及び底部１の長辺側土手部１ａの水平部１ａ１に穿設された透孔１ａ２に嵌合することにより、箱型に組み立てられた折り畳みコンテナーの長側壁２に、外側から内側方向に負荷が加わった際に、長側壁２の下端水平リブ２ｆと底部１の長辺側土手部１ａとの間で、長側壁２の下端水平リブ２ｆの長辺側土手部１ａからの離反を阻止するようにしたので、長側壁２の内側への傾倒、湾曲を、より確実に、且つ、効果的に抑制することができる。
【００２４】
次に、図９〜図１３を用いて、本発明の別の実施例について説明するが、上述した実施例と、その基本的な構成は同じであるので、同じ構成部材については、その詳細な説明を省略するとともに、同じ符号を使用する。
【００２５】
上述した実施例の傾倒抑制部材Ｓ１の操作部ｓ１と同じ操作部ｓ１を有する本実施例の傾倒抑制部材Ｓ２の操作部ｓ１を構成する傾斜リブｓ１ｃ或いは／及び下部水平リブｓ１ｄには、垂直嵌合ロッド部ｓ２０が垂設されている。本実施例においては、垂直嵌合ロッド部ｓ２０は、一例として、互いに平行に配置された３枚の細長板材ｓ２０ａと、細長板材ｓ２０ａの一方の縁部を連結する連結板材ｓ２０ｂとにより構成されている。垂直嵌合ロッド部ｓ２０を、角柱や円柱や角筒や円筒等の柱体により構成することもできる。また、長側壁２に形成された垂直ガイドリブ２ｉの相対する面に突設された規制突起２ｊの下方には、規制突起２ｊと同じ機能を有する下部規制突起２０ｊが形成されている。なお、本実施例においては、透孔２ｋ１が穿設された水平連結リブ２ｋは省略されている。
【００２６】
長側壁２の下端水平リブ２ｆに穿設された透孔２ｆ１と、底部１の長辺側土手部１ａの水平部１ａ１に穿設された透孔１ａ２とは、略同じ大きさ形状に形成されており、上述した傾倒抑制部材Ｓ２の垂直嵌合ロッド部ｓ２０が挿入できるように構成されている。本実施例においても、透孔２ｋ１が穿設された水平連結リブ２ｋを形成することもでき、この場合には、水平連結リブ２ｋに穿設された透孔２ｋ１は、その大きさ形状が、長側壁２の下端水平リブ２ｆに穿設された透孔２ｆ１及び底部１の長辺側土手部１ａの水平部１ａ１に穿設された透孔１ａ２と、略同じになるように構成されている。
【００２７】
本実施例においては、上述した実施例の傾倒抑制部材Ｓ１における弾性舌片ｓ３は配設されておらず、従って、傾倒抑制部材Ｓ２の上下動は、全て、手で行うことになる。
【００２８】
折り畳みコンテナーを箱型に組み立てた際には、図１０及び図１１に示されているように、傾倒抑制部材Ｓ２の垂直嵌合ロッド部ｓ２０が、長側壁２の下端水平リブ２ｆに穿設された透孔２ｆ１及び底部１の長辺側土手部１ａの水平部１ａ１に穿設された透孔１ａ２に嵌合されるとともに、垂直嵌合ロッド部ｓ２０の半分程度、或いは、それ以上が、底部１の長辺側土手部１ａ内に位置するように構成されている。本実施例においては、水平部１ａ１と内壁１ａ４と外壁１ａ５とから形成されており、その長手方向に対して垂直な断面形状が、略逆Ｕ字状に形成されている長辺側土手部１ａ内に、傾倒抑制部材Ｓ２の垂直嵌合ロッド部ｓ２０が位置するように構成されている。
【００２９】
本実施例においては、折り畳みコンテナーを箱型に組み立てた際には、傾倒抑制部材Ｓ２の垂直嵌合ロッド部ｓ２０が、長側壁２の下端水平リブ２ｆに穿設された透孔２ｆ１及び底部１の長辺側土手部１ａの水平部１ａ１に穿設された透孔１ａ２に嵌合されるとともに、垂直嵌合ロッド部ｓ２０の半分程度、或いは、それ以上が、底部１の長辺側土手部１ａ内に位置するように構成されているので、傾倒抑制部材Ｓ１の嵌合楔部ｓ４のみが、長側壁２の下端水平リブ２ｆに穿設された透孔２ｆ１及び底部１の長辺側土手部１ａの水平部１ａ１に穿設された透孔１ａ２に嵌合されている上述した実施例の傾倒抑制部材Ｓ１に比べて、箱型に組み立てられた折り畳みコンテナーの長側壁２に、外側から内側方向に負荷が加わった際に、長側壁２が内側に傾倒したり湾曲するようなことを、より確実に、且つ、効果的に抑制することができる。
【００３０】
また、箱型に組み立てられた折り畳みコンテナーの折り畳み作業の際には、傾倒抑制部材Ｓ２を上方に移動させて、傾倒抑制部材Ｓ２の垂直嵌合ロッド部ｓ２０を、底部１の長辺側土手部１ａの水平部１ａ１に穿設された透孔１ａ２及び長側壁２の下端水平リブ２ｆに穿設された透孔２ｆ１から排出させる。この状態で、長側壁２を、底部１方向に倒すことにより、箱型に組み立てられた折り畳みコンテナーを、折り畳むことができる。
【００３１】
なお、傾倒抑制部材Ｓ２の垂直嵌合ロッド部ｓ２０を構成する連結板材ｓ２０ｂに、長側壁２の板状部２ａ方向に延在する係止突起ｓ２０ｃを突設するとともに、長側壁２の板状部２ａには、上下方向に所定の間隔を置いて、係止突起ｓ２０ｃが嵌合可能な凹部或いは透孔を形成する。なお、上に位置する凹部或いは透孔を、上部係止雌部と称し、２ｐ１を付し、下に位置する凹部或いは透孔を、下部係止雌部と称し、２ｐ２を付す。
【００３２】
傾倒抑制部材Ｓ２を上方に移動させて、傾倒抑制部材Ｓ２の垂直嵌合ロッド部ｓ２０を、長側壁２の下端水平リブ２ｆに穿設された透孔２ｆ１及び底部１の長辺側土手部１ａの水平部１ａ１に穿設された透孔１ａ２から排出させた時点で、図１３に示されているように、傾倒抑制部材Ｓ２の垂直嵌合ロッド部ｓ２０に形成された係止突起ｓ２０ｃが、長側壁２の板状部２ａに形成された上部係止雌部２ｐ１に嵌合し、手を離しても、傾倒抑制部材Ｓ２が自然下動しないように構成されている。このように構成することにより、不用意に、傾倒抑制部材Ｓ２の垂直嵌合ロッド部ｓ２０が、長側壁２の下端水平リブ２ｆを越えて下方に位置するようなことがなく、従って、折り畳まれた状態の折り畳みコンテナーを組み立てる際に、誤って、長側壁２の下端水平リブ２ｆを越えて下方に位置する傾倒抑制部材Ｓ２の垂直嵌合ロッド部ｓ２０が、底部１の長辺側土手部１ａに当接し、長側壁２の垂直方向への回動が阻害され、折り畳みコンテナーの箱型への組み立て作業に支障を来したり、傾倒抑制部材Ｓ２や底部１の長辺側土手部１ａ等が損傷するようなことを防止することができる。
【００３３】
また、傾倒抑制部材Ｓ２を下方に移動させて、傾倒抑制部材Ｓ２の垂直嵌合ロッド部ｓ２０を、長側壁２の下端水平リブ２ｆに穿設された透孔２ｆ１及び底部１の長辺側土手部１ａの水平部１ａ１に穿設された透孔１ａ２に挿入し、折り畳みコンテナーが箱型に組み立てられた時点で、図１１に示されているように、傾倒抑制部材Ｓ２の垂直嵌合ロッド部ｓ２０に形成された係止突起ｓ２０ｃが、長側壁２の板状部２ａに形成された下部係止雌部２ｐ２に嵌合するように構成されている。このように構成することにより、不用意に、傾倒抑制部材Ｓ２の垂直嵌合ロッド部ｓ２０が、長側壁２の下端水平リブ２ｆに穿設された透孔２ｆ１及び底部１の長辺側土手部１ａの水平部１ａ１に穿設された透孔１ａ２から排出するようなことを防止することができ、従って、確実に、箱型に組み立てられた折り畳みコンテナーの長側壁２に、外側から内側方向に負荷が加わった際に、長側壁２が内側に傾倒したり湾曲するようなこと阻止することができる。
【００３４】
なお、折り畳みコンテナーが箱型に組み立てられた時点で、底部１の長辺側土手部１ａの水平部１ａ１付近に位置する、傾倒抑制部材Ｓ２を構成する連結板材ｓ２０ｂに、段差等のストッパーｓ２０ｄを形成し、図１１に示されているように、ストッパーｓ２０ｄを、長辺側土手部１ａの水平部１ａ１に載置することにより、不必要に、傾倒抑制部材Ｓ２の垂直嵌合ロッド部ｓ２０が、長辺側土手部１ａ内に挿入されるようなことを防止するように構成することもできる。
【００３５】
特に、傾倒抑制部材Ｓ２の傾倒抑制部材Ｓ２の垂直嵌合ロッド部ｓ２０を、長側壁２の下端水平リブ２ｆに穿設された透孔２ｆ１及び底部１の長辺側土手部１ａの水平部１ａ１に穿設された透孔１ａ２に挿入することにより、箱型に組み立てられた折り畳みコンテナーの長側壁２に、外側から内側方向に負荷が加わった際に、長側壁２の下端水平リブ２ｆと底部１の長辺側土手部１ａとの間で、長側壁２の下端水平リブ２ｆの長辺側土手部１ａからの離反を阻止するようにしたので、長側壁２の内側への傾倒、湾曲を、より確実に、且つ、効果的に抑制することができる。
【００３６】
次に、図１４〜図１５を用いて、本発明の別の実施例について説明するが、上述した実施例と同じ構成部材については、その詳細な説明を省略するとともに、同じ符号を使用する。
【００３７】
本実施例の傾倒抑制部材Ｓ３は、水平回動レバーｓ３０と、水平回動レバーｓ３０の先端に取着された、長手方向に対して垂直な断面形状が、略コの字状の挟持部ｓ３１とを有している。挟持部ｓ３１は、上部水平部ｓ３１ａと、上部水平部ｓ３１ａと平行な下部水平部ｓ３１ｂと、上部水平部ｓ３１ａと下部水平部ｓ３１ｂの一方の縁部同士を連結する垂直部ｓ３１ｃとにより形成されている。水平回動レバーｓ３０の端部を、短軸ｓ３２により、長側壁２の下端水平リブ２ｆの略中央に取り付けることにより、傾倒抑制部材Ｓ３が、長側壁２の下端水平リブ２ｆに、回動可能に枢支されている。また、底部１の長辺側土手部１ａを構成する外壁１ａ５には、挟持部ｓ３１の下部水平部ｓ３１ｂが挿入可能なスリット１ａ６が形成されている。
【００３８】
折り畳みコンテナーを箱型に組み立てた際には、傾倒抑制部材Ｓ３を、短軸ｓ３２を中心に、挟持部ｓ３１が、長側壁２及び底部１の長辺側土手部１ａに接近する方向に回動させると、挟持部ｓ３１の下部水平部ｓ３１ｂが、底部１の長辺側土手部１ａを構成する外壁１ａ５に形成されたスリット１ａ６に挿入されるとともに、長側壁２の下端水平リブ２ｆ及び底部１の長辺側土手部１ａを構成する水平部１ａ１のうち、スリット１ａ６の上方に位置する部分が、上部水平部ｓ３１ａと下部水平部ｓ３１ｂと垂直部ｓ３１ｃとにより形成される、挟持部ｓ３１の凹部ｓ３３に嵌合されることになる。このように、折り畳みコンテナーが箱型に組み立てられた際には、長側壁２の下端水平リブ２ｆ及び底部１の長辺側土手部１ａを構成する水平部１ａ１とが、傾倒抑制部材Ｓ３の挟持部ｓ３１により挟持されるように構成されているので、箱型に組み立てられた折り畳みコンテナーの長側壁２に、外側から内側方向に負荷が加わった際に、長側壁２が内側に傾倒したり湾曲するようなことを抑制することができる。
【００３９】
箱型に組み立てられた折り畳みコンテナーの折り畳み作業の際には、傾倒抑制部材Ｓ３を、短軸ｓ３２を中心に、挟持部ｓ３１が、長側壁２及び底部１の長辺側土手部１ａから遠ざかるように回動させて、長側壁２の下端水平リブ２ｆ及び底部１の長辺側土手部１ａを構成する水平部１ａ１の挟持部ｓ３１による挟持を解除することにより、長側壁２を、底部１方向に倒すことができる。
【００４０】
特に、傾倒抑制部材Ｓ３の挟持部ｓ３１により、長側壁２の下端水平リブ２ｆ及び底部１の長辺側土手部１ａを構成する水平部１ａ１とを挟持することにより、箱型に組み立てられた折り畳みコンテナーの長側壁２に、外側から内側方向に負荷が加わった際に、長側壁２の下端水平リブ２ｆと底部１の長辺側土手部１ａとの間で、長側壁２の下端水平リブ２ｆの長辺側土手部１ａからの離反を阻止するようにしたので、長側壁２の内側への傾倒、湾曲を、より確実に、且つ、効果的に抑制することができる。
【００４１】
上述した傾倒抑制部材Ｓ１〜Ｓ３を配設することにより、箱型に組み立てられた折り畳みコンテナーの長側壁２に、外側から内側方向に負荷が加わった際に、長側壁２が内側に傾倒したり湾曲するようなことを抑制することができるが、当然のことながら、箱型に組み立てられた折り畳みコンテナーの長側壁２に、内側から外側方向に負荷が加わった際に、長側壁２が外側に膨出するようなことも抑制することがでる。
【００４２】
上述した実施例には、１個の長側壁２に対して、傾倒抑制部材Ｓ１〜Ｓ３が、それぞれ、１個、配設されている例が示されているが、１個の長側壁２に対して、傾倒抑制部材Ｓ１〜Ｓ３を、それぞれ、２個配設することもできる。
【００４３】
また、上述した傾倒抑制部材Ｓ１を構成する垂直ロッド部ｓ２の下端に、複数の嵌合楔部ｓ４を形成することもでき、同様に、上述した傾倒抑制部材Ｓ２を構成する操作部ｓ１に、複数の垂直嵌合ロッド部ｓ２０を形成することもできる。このように、嵌合楔部ｓ４や垂直嵌合ロッド部ｓ２０を複数個、配設した場合には、当然のことながら、長側壁２の下端水平リブ２ｆに穿設される透孔２ｆ１や底部１の長辺側土手部１ａの水平部１ａ１に穿設される透孔１ａ２等も、嵌合楔部ｓ４や垂直嵌合ロッド部ｓ２０の数に対応して、増やすことになる。
【００４４】
上述した実施例には、傾倒抑制部材Ｓ１〜Ｓ３を、長側壁２に配設した例が示されているが、短側壁３の横幅が大きくなった場合には、長側壁２に加え、短側壁３にも、傾倒抑制部材Ｓ１〜Ｓ３を配設することもできる。
【００４５】
図１６及び図１７には、図１〜図８を用いて説明した実施例の別の実施態様が示されている。
【００４６】
この実施態様においては、長側壁２の板状部２ａに、指が挿入可能な操作用透孔２ｑが穿設されており、図１６及び図１７に示されているように、傾倒抑制部材Ｓ１の嵌合楔部ｓ４が、長側壁２の下端水平リブ２ｆに穿設された透孔２ｆ１及び底部１の長辺側土手部１ａの水平部１ａ１に穿設された透孔１ａ２に嵌合されている状態において、折り畳みコンテナーの内側から、長側壁２に穿設された操作用透孔２ｑに指を入れて、操作用透孔２ｓ内に位置する、操作部ｓ１の上部水平リブｓ１ａを上方に持ち上げることにより、傾倒抑制部材Ｓ１を上方移動させて、傾倒抑制部材Ｓ１の嵌合楔部ｓ４を、底部１の長辺側土手部１ａの水平部１ａ１に穿設された透孔１ａ２及び長側壁２の下端水平リブ２ｆに穿設された透孔２ｆ１から排出させ、その後、長側壁２を、底部１方向に倒すように構成されている。
【００４７】
上述したように、長側壁２の板状部２ａに、操作用透孔２ｑを穿設し、箱型に組み立てられた折り畳みコンテナーの内側から、傾倒抑制部材Ｓ１を操作できるように構成したので、傾倒抑制部材Ｓ１の操作性が向上する。即ち、作業者が、一方の長側壁２側に位置した後、両手で、相対する長側壁２に配設された傾倒抑制部材Ｓ１を操作する場合に、傾倒抑制部材Ｓ１を、箱型に組み立てられた折り畳みコンテナーの長側壁２の外側からのみ操作しようとすると、特に、箱型に組み立てられた折り畳みコンテナーが大きい場合には、作業者から遠い方に位置する長側壁２に配設された傾倒抑制部材Ｓ１に簡単に手が届かなかったり、また、傾倒抑制部材Ｓ１の操作部ｓ１の位置の目視ができないために、操作部ｓ１の位置の確認に時間がかかる等、傾倒抑制部材Ｓ１の操作性が悪いことになるが、長側壁２の板状部２ａに、操作用透孔２ｑを穿設し、箱型に組み立てられた折り畳みコンテナーの内側から、傾倒抑制部材Ｓ１を操作できるように構成したので、作業者は、作業者に近い方の長側壁２に配設された傾倒抑制部材Ｓ１については、箱型に組み立てられた折り畳みコンテナーの長側壁２の外側から、傾倒抑制部材Ｓ１を操作し、また、作業者から遠い方の長側壁２に配設された傾倒抑制部材Ｓ１については、箱型に組み立てられた折り畳みコンテナーの内側から、長側壁２の板状部２ａに穿設された操作用透孔２ｑを通して、傾倒抑制部材Ｓ１を操作することができるので、傾倒抑制部材Ｓ１の操作性が向上することになる。また、長側壁２の板状部２ａに穿設された操作用透孔２ｑを通して、操作部ｓ１の位置が目視できるので、傾倒抑制部材Ｓ１の操作性が更に向上することになる。
【００４８】
図１８及び図１９には、図９〜図１３を用いて説明した実施例の別の実施態様が示されている。
【００４９】
この実施態様においても、長側壁２に、操作用透孔２ｒが穿設されており、図１８及び図１９に示されているように、傾倒抑制部材Ｓ２の垂直嵌合ロッド部ｓ２０が、長側壁２の下端水平リブ２ｆに穿設された透孔２ｆ１及び底部１の長辺側土手部１ａの水平部１ａ１に穿設された透孔１ａ２に嵌合されている状態において、折り畳みコンテナーの内側から、長側壁２に穿設された操作用透孔２ｒに指を入れて、操作用透孔２ｒ内に位置する、操作部ｓ１の上部水平リブｓ１ａを上方に持ち上げることにより、傾倒抑制部材Ｓ２を上方移動させて、傾倒抑制部材Ｓ２の垂直嵌合ロッド部ｓ２０を、底部１の長辺側土手部１ａの水平部１ａ１に穿設された透孔１ａ２及び長側壁２の下端水平リブ２ｆに穿設された透孔２ｆ１から排出させ、その後、長側壁２を、底部１方向に倒すように構成されている。
【００５０】
この実施態様においても、上述した図１５及び図１６に示されている実施態様と同様の作用効果を奏することができる。
【００５１】
【発明の効果】
本発明は、以上説明した構成を有しているので、以下に記載する効果を奏するものである。
【００５２】
長側壁に、長側壁の下端水平リブが、底部の長辺側土手部から離反することを阻止する傾倒抑制部材を配設したので、箱型に組み立てられた折り畳みコンテナーの長側壁に、外側から負荷が加わっても、長側壁が内側に傾倒したり湾曲するようなことを抑制することができる。
【００５３】
傾倒抑制部材を、箱型に組み立てられた折り畳みコンテナーの内側から操作可能としたので、傾倒抑制部材の操作性が向上するとともに、長側壁に穿設された操作用透孔を通して、傾倒抑制部材の位置が目視できるので、傾倒抑制部材の操作性が更に向上することになる。
【図面の簡単な説明】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの長側壁に配設される傾倒抑制部材及び長側壁の拡大分解斜視図である。
【図５】図５は、傾倒抑制部材が配設された状態の本発明の折り畳みコンテナーの長側壁の正面図である。
【図６】図６は、傾倒抑制部材が配設された状態の本発明の折り畳みコンテナーの長側壁の板状部に垂直な側断面図である。
【図７】図７は、図５と同様の傾倒抑制部材が配設された状態の本発明の折り畳みコンテナーの長側壁の正面図である。
【図８】図８は、図６と同様の傾倒抑制部材が配設された状態の本発明の折り畳みコンテナーの長側壁の板状部に垂直な側断面図である。
【図９】図９は、本発明の折り畳みコンテナーの長側壁に配設される別の実施例の傾倒抑制部材及び長側壁の拡大分解斜視図である。
【図１０】図１０は、図９に示されている別の実施例の傾倒抑制部材が配設された状態の本発明の折り畳みコンテナーの長側壁の正面図である。
【図１１】図１１は、図９に示されている別の実施例の傾倒抑制部材が配設された状態の本発明の折り畳みコンテナーの長側壁の板状部に垂直な側断面図である。
【図１２】図１２は、図１０と同様の図９に示されている別の実施例の傾倒抑制部材が配設された状態の本発明の折り畳みコンテナーの長側壁の正面図である。
【図１３】図１３は、図１１と同様の図９に示されている別の実施例の傾倒抑制部材が配設された状態の本発明の折り畳みコンテナーの長側壁の板状部に垂直な側断面図である。
【図１４】図１４は、本発明の折り畳みコンテナーの長側壁に配設された更に別の実施例の傾倒抑制部材及び長側壁等の拡大斜視図である。
【図１５】図１５は、図１４に示されている更に別の実施例の傾倒抑制部材が配設された状態の本発明の折り畳みコンテナーの長側壁の板状部に垂直な側断面図である。
【図１６】図１６は、更なる別の実施例の傾倒抑制部材が配設された状態の図５と同様の本発明の折り畳みコンテナーの長側壁の正面図である。
【図１７】図１７は、図１６に示されている更なる別の実施例の傾倒抑制部材が配設された状態の図６と同様の本発明の折り畳みコンテナーの長側壁の板状部に垂直な側断面図である。
【図１８】図１８は、なお更なる別の実施例の傾倒抑制部材が配設された状態の図１０と同様の本発明の折り畳みコンテナーの長側壁の正面図である。
【図１９】図１９は、図１８に示されているなお更なる別の実施例の傾倒抑制部材が配設された状態の図１１と同様の本発明の折り畳みコンテナーの長側壁の板状部に垂直な側断面図である。
【符号の説明】
Ｓ１〜Ｓ３・・・・・・・・・・・・・・・・傾倒抑制部材
１・・・・・・・・・・・・・・・・・・・・底部
１ａ・・・・・・・・・・・・・・・・・・・長辺側土手部
２・・・・・・・・・・・・・・・・・・・・長側壁
２ｆ・・・・・・・・・・・・・・・・・・・下端水平リブ
３・・・・・・・・・・・・・・・・・・・・短側壁
【図１】
2005053482.tif 000003
【図２】
2005053482.tif 000004
【図３】
2005053482.tif 000005
【図４】
2005053482.tif 000006
【図５】
2005053482.tif 000007
【図６】
2005053482.tif 000008
【図７】
2005053482.tif 000009
【図８】
2005053482.tif 000010
【図９】
2005053482.tif 000011
【図１０】
2005053482.tif 000012
【図１１】
2005053482.tif 000013
【図１２】
2005053482.tif 000014
【図１３】
2005053482.tif 000015
【図１４】
2005053482.tif 000016
【図１５】
2005053482.tif 000017
【図１６】
2005053482.tif 000018
【図１７】
2005053482.tif 000019
【図１８】
2005053482.tif 000020
【図１９】
2005053482.tif 000021